(57)【要約】【課題】  投票者が所望の公営競技情報を確実かつ迅速に取得することができるとともに、投票者にとって公営競技情報の配信から投票までを効率良く行なえるようにする。【解決手段】  投票者によって所持される赤外線通信機能付き携帯端末１０と、オッズ情報を含む各種公営競技情報を管理・保持する情報配信サーバ２０と、公営競技場施設内もしくは場外発売所に配置され携帯端末１０との間で赤外線通信を行ないうる赤外線通信装置３０と、公営競技情報を携帯端末１０で取扱可能な形式の携帯端末配信用データに加工する加工制御部４０とを有し、赤外線通信装置３０が、携帯端末１０から赤外線通信により配信要求を受けると、その配信要求に応じた公営競技情報であって加工制御部４０により携帯端末配信用データに加工されたものを赤外線通信により携帯端末１０へ配信する。【選択図】  図１
2005227823.tif 000002
【特許請求の範囲】
【請求項１】
公営競技の投票者によって所持される赤外線通信機能付き携帯端末と、
公営競技のオッズ情報を含む各種公営競技情報を管理・保持する情報配信サーバと、
公営競技場施設内もしくは場外発売所に配置され、該携帯端末との間で赤外線通信を行ないうる赤外線通信装置と、
該赤外線通信装置から該携帯端末へ配信すべく該情報配信サーバから取得された公営競技情報を、該携帯端末で取扱可能な形式の携帯端末配信用データに加工するための加工制御部とをそなえ、
該赤外線通信装置が、該携帯端末から前記赤外線通信により配信要求を受けると、その配信要求に応じた公営競技情報であって該加工制御部により上記携帯端末配信用データに加工されたものを、前記赤外線通信により該携帯端末へ配信することを特徴とする、公営競技情報配信システム。
【請求項２】
該携帯端末が、該投票者の操作に応じて、前記公営競技の要項情報の配信要求を前記赤外線通信により該赤外線通信装置に対して行なうとともに、当該配信要求に応じて該赤外線通信装置から前記赤外線通信により配信されてきた前記要項情報に基づき該投票者によって指定された公営競技情報の配信要求を、前記赤外線通信により該赤外線通信装置に対して行なうように構成されたことを特徴とする、請求項１記載の公営競技情報配信システム。
【請求項３】
該携帯端末が、該投票者の操作に応じて、該赤外線通信装置から前記赤外線通信により配信されてきた公営競技情報に基づき該投票者によって指定された投票内容の投票券の発券要求を、前記赤外線通信により行なうように構成されたことを特徴とする、請求項１または請求項２に記載の公営競技情報配信システム。
【請求項４】
公営競技場施設内もしくは場外発売所に配置され、
公営競技の投票者によって所持される赤外線通信機能付き携帯端末との間で赤外線通信可能に構成され、
該携帯端末から前記赤外線通信により配信要求を受けると、その配信要求に応じた公営競技情報であって該携帯端末で取扱可能な形式の携帯端末配信用データに加工されたものを、前記赤外線通信により該携帯端末へ配信するように構成されたことを特徴とする、赤外線通信装置。
【請求項５】
公営競技のオッズ情報を含む各種公営競技情報を管理・保持する情報配信サーバと通信可能に接続され、
前記配信要求に応じて該情報配信サーバから取得された前記公営競技情報を、前記携帯端末配信用データに加工するための加工制御部をそなえたことを特徴とする、請求項４記載の赤外線通信装置。
【請求項６】
該携帯端末との間で赤外線の送受を行なう赤外線アダプタと該赤外線アダプタを制御して前記赤外線通信を実行させる制御部とを含む親機と、
該親機に接続され、該制御部によって該親機側から制御される赤外線アダプタを含む子機とから構成されたことを特徴とする、請求項４または請求項５に記載の赤外線通信装置。
【請求項７】
公営競技のオッズ情報を含む各種公営競技情報を管理・保持する情報配信サーバと通信可能に接続され、前記オッズ情報をプリントアウトして提供するオッズプリンタであって、
公営競技の投票者によって所持される赤外線通信機能付き携帯端末との間で赤外線通信を行なうための赤外線通信機能をそなえ、
該携帯端末から前記赤外線通信により配信要求を受けると、その配信要求に応じた公営競技情報であって該携帯端末で取扱可能な形式の携帯端末配信用データに加工されたものを、前記赤外線通信により該携帯端末へ配信するように構成されたことを特徴とする、オッズプリンタ。
【請求項８】
公営競技のオッズ情報を含む各種公営競技情報を管理・保持する情報配信サーバと通信可能に接続され、前記オッズ情報をプリントアウトして提供するオッズプリンタであって、
携帯端末へ配信すべく該情報配信サーバから取得された公営競技情報を、該携帯端末で取扱可能な形式の携帯端末配信用データに加工するための加工制御部をそなえたことを特徴とする、オッズプリンタ。
【請求項９】
投票券の自動発券を行なうトータリゼータ端末であって、
公営競技の投票者によって所持される赤外線通信機能付き携帯端末との間で赤外線通信を行なうための赤外線通信機能をそなえ、
該携帯端末から前記赤外線通信により配信要求を受けると、その配信要求に応じた公営競技情報であって該携帯端末で取扱可能な形式の携帯端末配信用データに加工されたものを、前記赤外線通信により該携帯端末へ配信するように構成されたことを特徴とする、トータリゼータ端末。
【請求項１０】
投票券の自動発券を行なうトータリゼータ端末であって、
公営競技のオッズ情報を含む各種公営競技情報を管理・保持する情報配信サーバと通信可能に接続され、
携帯端末へ配信すべく該情報配信サーバから取得された公営競技情報を、該携帯端末で取扱可能な形式の携帯端末配信用データに加工するための加工制御部をそなえたことを特徴とする、トータリゼータ端末。
【発明の詳細な説明】
【技術分野】
【０００１】
本発明は、例えば競馬，競輪，競艇，オートレース等の公営競技におけるオッズ情報やレース情報等を含む各種公営競技情報を特に携帯端末に配信する公営競技情報配信システム、並びに、そのシステムで用いられる赤外線通信装置，オッズプリンタ及びトータリゼータ端末に関する。
【背景技術】
【０００２】
従来から、公営競技（例えば、競馬，競輪，競艇，オートレース等）において、オッズ情報を配信するサービスとして、オッズ情報をプリントアウトして投票者に提供するオッズプリンタが知られている。また、中央管理装置から携帯型の受信機にオッズ情報を無線発信する技術も提案されている（下記特許文献１参照）。
【特許文献１】特開昭６０−２６３２５９号公報
【発明の開示】
【発明が解決しようとする課題】
【０００３】
しかしながら、これらオッズプリンタや特許文献１における中央管理装置は、公営競技におけるオッズ情報やレース情報等を含む各種公営競技情報を管理・保持する情報配信サーバと接続されているためオッズ情報以外の情報配信サービスが可能であるにも関わらず、投票者に対してオッズ情報の提供サービスしか行なっていない。しかも、オッズプリンタでのオッズ情報の表示方法は１種類しかなく、投票者は、配信されたオッズ情報の表示方法を、所望の条件で指定することができないため、利便性に欠けている。
【０００４】
そこで、情報配信サーバに接続されたウェブサーバを設けて、インターネット経由でパソコンや携帯端末（例えば、携帯電話，ＰＤＡ；Personal Digital Assistant等）にオッズ情報を含めた総合的な各種公営競技情報を配信する技術も提案されている。
しかしながら、インターネット経由で各種公営競技情報を配信する場合は、投票者が情報を取得するためには、多くの場合インターネット上のウェブサーバに頻繁にアクセスする必要があるため、オッズ情報を取得するまでに時間が掛かってしまうとともに、無線通信を利用した携帯端末により情報を取得する場合には、電波の通じない地下や、密室等では利用することができない。
【０００５】
また、上述した従来からの技術では、投票者は公営競技情報を取得することはできるが、投票は投票券を自動発券するトータリゼータ端末でしか行なうことができないため、いくら高効率で公営競技情報を投票者に配信しても、投票締め切り間際にはトータリゼータ端末が非常に混雑してしまい、投票者の利便性を改善することができない。
本発明はこのような課題に鑑み創案されたもので、投票者が所望の公営競技情報を確実かつ迅速に取得することができるとともに、投票者にとって公営競技情報の配信から投票までを効率良く行なうことができる、公営競技情報配信システム並びに赤外線通信装置，オッズプリンタ及びトータリゼータ端末を提供することを目的とする。
【課題を解決するための手段】
【０００６】
上記目的を達成するために、本発明の公営競技情報配信システムは、公営競技の投票者によって所持される赤外線通信機能付き携帯端末と、公営競技のオッズ情報を含む各種公営競技情報を管理・保持する情報配信サーバと、公営競技場施設内もしくは場外発売所に配置され、携帯端末との間で赤外線通信を行ないうる赤外線通信装置と、赤外線通信装置から携帯端末へ配信すべく情報配信サーバから取得された公営競技情報を、携帯端末で取扱可能な形式の携帯端末配信用データに加工するための加工制御部とをそなえ、赤外線通信装置が、携帯端末から前記赤外線通信により配信要求を受けると、その配信要求に応じた公営競技情報であって加工制御部により上記携帯端末配信用データに加工されたものを、前記赤外線通信により携帯端末へ配信することを特徴としている（請求項１）。
【０００７】
なお、本発明の公営競技情報配信システムは、携帯端末が、投票者の操作に応じて、前記公営競技の要項情報の配信要求を前記赤外線通信により赤外線通信装置に対して行なうとともに、当配信要求に応じて赤外線通信装置から前記赤外線通信により配信されてきた前記要項情報に基づき投票者によって指定された公営競技情報の配信要求を、前記赤外線通信により赤外線通信装置に対して行なうように構成されることが好ましい（請求項２）。
【０００８】
また、本発明の公営競技情報配信システムは、携帯端末が、投票者の操作に応じて、赤外線通信装置から前記赤外線通信により配信されてきた公営競技情報に基づき投票者によって指定された投票内容の投票券の発券要求を、前記赤外線通信により行なうように構成されることが好ましい（請求項３）。
また、上記目的を達成するため、本発明の赤外線通信装置は、公営競技場施設内もしくは場外発売所に配置され、公営競技の投票者によって所持される赤外線通信機能付き携帯端末との間で赤外線通信可能に構成され、携帯端末から前記赤外線通信により配信要求を受けると、その配信要求に応じた公営競技情報であって携帯端末で取扱可能な形式の携帯端末配信用データに加工されたものを、前記赤外線通信により携帯端末へ配信するように構成されたことを特徴としている（請求項４）。
【０００９】
なお、本発明の赤外線通信装置は、公営競技のオッズ情報を含む各種公営競技情報を管理・保持する情報配信サーバと通信可能に接続され、前記配信要求に応じて情報配信サーバから取得された前記公営競技情報を、前記携帯端末配信用データに加工するための加工制御部をそなえることが好ましい（請求項５）。
また、本発明の赤外線通信装置は、携帯端末との間で赤外線の送受を行なう赤外線アダプタと赤外線アダプタを制御して前記赤外線通信を実行させる制御部とを含む親機と、親機に接続され、制御部によって親機側から制御される赤外線アダプタを含む子機とから構成されることが好ましい（請求項６）。
【００１０】
また、上記目的を達成するため、本発明のオッズプリンタは、公営競技のオッズ情報を含む各種公営競技情報を管理・保持する情報配信サーバと通信可能に接続され、前記オッズ情報をプリントアウトして提供するオッズプリンタであって、公営競技の投票者によって所持される赤外線通信機能付き携帯端末との間で赤外線通信を行なうための赤外線通信機能をそなえ、携帯端末から前記赤外線通信により配信要求を受けると、その配信要求に応じた公営競技情報であって携帯端末で取扱可能な形式の携帯端末配信用データに加工されたものを、前記赤外線通信により携帯端末へ配信するように構成されたことを特徴としている（請求項７）。
【００１１】
また、上記目的を達成するため、本発明のオッズプリンタは、公営競技のオッズ情報を含む各種公営競技情報を管理・保持する情報配信サーバと通信可能に接続され、前記オッズ情報をプリントアウトして提供するオッズプリンタであって、携帯端末へ配信すべく情報配信サーバから取得された公営競技情報を、携帯端末で取扱可能な形式の携帯端末配信用データに加工するための加工制御部をそなえたことを特徴としている（請求項８）。
【００１２】
また、上記目的を達成するため、本発明のトータリゼータ端末は、投票券の自動発券を行なうトータリゼータ端末であって、公営競技の投票者によって所持される赤外線通信機能付き携帯端末との間で赤外線通信を行なうための赤外線通信機能をそなえ、携帯端末から前記赤外線通信により配信要求を受けると、その配信要求に応じた公営競技情報であって携帯端末で取扱可能な形式の携帯端末配信用データに加工されたものを、前記赤外線通信により携帯端末へ配信するように構成されたことを特徴としている（請求項９）。
【００１３】
また、上記目的を達成するため、本発明のトータリゼータ端末は、投票券の自動発券を行なうトータリゼータ端末であって、公営競技のオッズ情報を含む各種公営競技情報を管理・保持する情報配信サーバと通信可能に接続され、携帯端末へ配信すべく情報配信サーバから取得された公営競技情報を、携帯端末で取扱可能な形式の携帯端末配信用データに加工するための加工制御部をそなえたことを特徴としている（請求項１０）。
【発明の効果】
【００１４】
このように、本発明の公営競技情報配信システム並びに赤外線通信装置，オッズプリンタ及びトータリゼータ端末によれば、携帯端末と赤外線通信により情報の送受を行なうため、確実かつ高速で情報の送受を行なうことができ、さらに、用紙を使用しないため、低コストで公営競技情報（オッズ情報）の配信を行なうことができる（請求項１，４，７，９）。
【００１５】
また、本発明の公営競技情報配信システム並びに赤外線通信装置，オッズプリンタ及びトータリゼータ端末によれば、携帯端末と情報配信サーバとの間に加工制御部が介在するため、情報配信サーバから携帯端末へ配信する情報を、確実に携帯端末が取扱可能な形式の携帯端末配信用データに加工することができるとともに、携帯端末からの配信要求に応じた公営競技情報を確実に抽出（選択）して携帯端末へ配信することができる（請求項１，５，８，１０）。
【００１６】
また、本発明の公営競技情報配信システムによれば、投票者は、携帯端末を用い、要項情報に基づいて指定した必要な公営競技情報だけを取得することができる（請求項２）。
また、本発明の公営競技情報配信システムによれば、携帯端末が、投票者の操作に応じて、赤外線通信装置から赤外線通信により配信されてきた公営競技情報に基づき投票者によって指定された投票内容の投票券の発券要求を、赤外線通信により行なうように構成されているため、従来のように投票するオッズ情報や金額等を投票カードに記入する必要はなく、投票者は、携帯端末を用いて赤外線通信により公営競技情報の取得から投票までを効率良く行なうことができ、投票者の利便性を高めることができる（請求項３）。
【００１７】
また、本発明の赤外線通信装置によれば、子機のみを増設するだけで投票者が公営競技情報を取得するための端末を増設することができ、赤外線通信装置自体を増設するよりも低コスト化できる（請求項６）。
また、本発明のトータリゼータ端末によれば、従来は公営競技情報の配信を行なっておらず、しかも投票終了間際やレース終了までは混雑していなかったトータリゼータ端末に情報配信機能を付与することにより、投票者が公営競技情報を取得するために生じていた混雑を確実に分散して解消することができ、投票者の利便性を高めることができる（請求項９）。
【発明を実施するための最良の形態】
【００１８】
以下、図面を参照して本発明の実施の形態を説明する。
〔１〕公営競技情報配信システムの構成
図１〜図１２を参照しながら、本発明の公営競技情報配信システム並びに赤外線通信装置，オッズプリンタ及びトータリゼータ端末の構成例について説明する。
〔１−１〕第１構成例
まず、図１，図２を参照しながら本発明の第１構成例に係る公営競技情報配信システム及び赤外線通信装置について説明する。図１は本構成例の公営競技情報配信システム及び赤外線通信装置の構成を示すブロック図である。図１に示す本発明の公営競技情報配信システムは、例えば、競馬，競輪，競艇，オートレース等の公営競技におけるオッズ情報やレース情報等の各種公営競技情報を赤外線通信により携帯端末（例えば、携帯電話，ＰＤＡもしくは専用の携帯端末等）１０へ配信するためのものであり、この公営競技情報配信システムは、赤外線通信機能付き携帯端末（以下、単に携帯端末という）１０のほかに、情報配信サーバ２０，赤外線通信装置３０及び加工制御部４０をそなえて構成されている。
【００１９】
携帯端末１０は、公営競技の投票者によって所持されるものであり、ここでは携帯電話を例に挙げて説明する。また、情報配信サーバ２０は、公営競技のオッズ情報を含む各種公営競技情報（例えば、オッズ情報のほかに出走表，選手プロフィール，開催情報等；以下、単に情報ともいう）を管理・保持するものであり、赤外線通信装置３０は、公営競技場施設内もしくは場外発売所に設置され、携帯端末１０との間で赤外線通信を行ないうるものであり、加工制御部４０は、赤外線通信装置３０から携帯端末１０へ配信すべく情報配信サーバ２０から取得された公営競技情報を、携帯端末１０で取扱可能な形式の携帯端末配信用データに加工するためのもので、この第１構成例では、赤外線通信装置３０にそなえられている。なお、加工制御部４０は、具体的には、例えば、情報配信サーバ２０から送信されてきた情報を、圧縮（小サイズ化）したり、式別単位毎に分割加工したり、携帯端末１０で取扱可能な形式にフォーマット変換したりする。
【００２０】
そして、本公営競技情報配信システムでは、赤外線通信装置３０がＬＡＮ（Local Area Network）等で構成される通信ネットワーク１に接続され、この通信ネットワーク１を介して情報配信サーバ２０と通信可能に接続されている。図２は本構成例の公営競技情報配信システムを示す模式図であり、この図２に示すように、本構成例では、情報配信サーバ２０と赤外線通信装置３０とは通信ネットワーク１を介して直接通信可能に接続されている。
【００２１】
また、図１に示すように、赤外線通信装置３０は、制御部３１，ハードディスク３２，赤外線アダプタ３３−１〜３３−ｎをそなえて構成され、さらに、本構成例では、赤外線通信装置３０の制御部３１に加工制御部４０がそなえられている。
制御部３１は、後述する赤外線アダプタ３３−１〜３３−ｎを制御して携帯端末１０との赤外線通信を実行させるとともに、携帯端末１０からの情報を配信する要求に基づいて、情報配信サーバ２０と携帯端末１０との情報の送受を制御するものであり、携帯端末１０から赤外線通信により配信要求を受けると、その配信要求に応じた公営競技情報を情報配信サーバ２０から取得し、加工制御部４０により携帯端末配信用データに加工された当該公営競技情報を携帯端末１０へ配信するものである。
【００２２】
また、ハードディスク３２は、制御部３１や加工制御部４０がその機能を果たすために使用するアプリケーションプログラム等を保持するとともに、下記〔３〕公営競技情報配信システムにおける情報配信方法欄で後述する情報配信サーバ２０から取得した要項情報を保持するものである。
そして、赤外線アダプタ３３−１〜３３−ｎは、携帯端末１０との間で赤外線の送受を行なうものであり、制御部３１に接続され、制御部３１と携帯端末１０との間で赤外線通信により情報の送受を行なうための送受信部として機能する。なお、ここでは赤外線アダプタがｎ（ここでは３以上の整数）個設けられている例を示しているが、本発明において、赤外線アダプタの数は限定されるものではない。
【００２３】
このように、本構成例では、携帯端末１０は、赤外線通信装置３０が情報配信サーバ２０から取得した公営競技情報を、赤外線通信により赤外線通信装置３０から取得することができる。
〔１−２〕第２構成例
次に、図３を参照しながら本発明の第２構成例に係る公営競技情報配信システム及び赤外線通信装置について説明する。図３は本構成例の公営競技情報配信システムを示す模式図である。なお、図３において、既述の符号と同一の符号は、同一の部分もしくはほぼ同一の部分を示しているので、その詳細な説明は省略する。
【００２４】
図３に示すように、本構成例の公営競技情報配信システムでは、図１のごとく構成された赤外線通信装置３０が、公営競技場施設内もしくは場外発売所に設置されオッズ情報をプリントアウトして提供するオッズプリンタ５０を介して情報配信サーバ２０と通信可能に接続されている。つまり、本構成例では、既存のオッズプリンタ５０の情報配信サーバ２０との通信回線（通信ネットワーク１）を利用して、赤外線通信装置３０が情報配信サーバ２０と通信可能に接続されている。
【００２５】
なお、オッズプリンタ５０のその他の構成や詳細な説明については省略する。
このように、本構成例では、赤外線通信装置３０がオッズプリンタ５０を介して情報配信サーバ２０から公営競技情報を取得することができるとともに、携帯端末１０は赤外線通信により赤外線通信装置３０から公営競技情報を取得することができる。
〔１−３〕第３構成例
次に、図４を参照しながら本発明の第３構成例に係る公営競技情報配信システム，赤外線通信装置及びオッズプリンタについて説明する。図４は本構成例の公営競技情報配信システム，赤外線通信装置及びオッズプリンタの構成を示すブロック図である。なお、図４において、既述の符号と同一の符号は、同一の部分もしくはほぼ同一の部分を示しているので、その詳細な説明は省略する。
【００２６】
図４に示すように、本構成例では、加工制御部４０がオッズプリンタ５０ａにそなえられている。したがって、本構成例では、赤外線通信装置３０ａの制御部３１は、携帯端末１０から赤外線通信により配信要求を受けると、その配信要求に応じた公営競技情報であってオッズプリンタ５０ａにそなえられた加工制御部４０により携帯端末配信用データに加工された当該公営競技情報を携帯端末１０へ配信するようになっている。なお、赤外線通信装置３０ａの他の構成は、上記第１構成例の赤外線通信装置３０と同様である。
【００２７】
そして、本構成例では、図３を参照しながら上述した第２構成例と同様に、赤外線通信装置３０ａがオッズプリンタ５０ａを介して情報配信サーバ２０と通信可能に接続されている。
このように、本構成例では、赤外線通信装置３０ａがオッズプリンタ５０ａを介して情報配信サーバ２０から公営競技情報を取得することができるとともに、携帯端末１０は赤外線通信により赤外線通信装置３０ａから公営競技情報を取得することができる。
【００２８】
〔１−４〕第４構成例
次に、図５，図６を参照しながら本発明の第４構成例に係る公営競技情報配信システム及びオッズプリンタについて説明する。図５は本構成例の公営競技情報配信システム及びオッズプリンタの構成を示すブロック図であり、図６は本構成例の公営競技情報配信システムを示す模式図である。なお、図５，図６において、既述の符号と同一の符号は、同一の部分もしくはほぼ同一の部分を示しているので、その詳細な説明は省略する。
【００２９】
図５，図６に示すように、本構成例の公営競技情報配信システムは、携帯端末１０，情報配信サーバ２０，オッズプリンタ５０ｂをそなえて構成され、情報配信サーバ２０とオッズプリンタ５０ｂとは通信ネットワーク１を介して通信可能に接続されている。
そして、本構成例では、図５に示すように、オッズプリンタ５０ｂが制御部３１，ハードディスク３２，赤外線アダプタ３３−１〜３３−ｎをそなえて構成され、さらに、制御部３１には加工制御部４０がそなえられている。
【００３０】
したがって、本構成例のオッズプリンタ５０ｂは、携帯端末１０との間で赤外線通信を行なうための赤外線通信機能をそなえ、携帯端末１０から赤外線通信により配信要求を受けると、その配信要求に応じた公営競技情報であって携帯端末１０で取扱可能な形式の携帯端末配信用データに加工されたものを、赤外線通信により携帯端末１０へ配信するように構成されている。つまり、本構成例では、図１を参照しながら上述した第１構成例の赤外線通信装置３０の機能をオッズプリンタ５０ｂが兼用するように構成されている。
【００３１】
このように、本構成例では、携帯端末１０は、赤外線通信機能付きオッズプリンタ５０ｂが情報配信サーバ２０から取得した公営競技情報を、赤外線通信によりオッズプリンタ５０ｂから取得することができる。
〔１−５〕第５構成例
次に、図７を参照しながら本発明の第５構成例に係る公営競技情報配信システム及び赤外線通信装置について説明する。図７は本構成例の公営競技情報配信システムを示す模式図である。なお、図７において、既述の符号と同一の符号は、同一の部分もしくはほぼ同一の部分を示しているので、その詳細な説明は省略する。
【００３２】
図７に示すように、本構成例の公営競技情報配信システムでは、図１のごとく構成された赤外線通信装置３０が、公営競技場施設内もしくは場外発売所に設置され、投票券の自動発券や払戻を行なうトータリゼータ端末６０を介して情報配信サーバ２０と通信可能に接続されている。つまり、本構成例では、既存のトータリゼータ端末６０の情報配信サーバ２０との通信回線（通信ネットワーク１）を利用して、赤外線通信装置３０が情報配信サーバ２０と通信可能に接続されている。
【００３３】
なお、トータリゼータ端末６０のその他の構成や詳細な説明については省略するが、トータリゼータ端末６０は、後述する投票券の発券状況を管理する投票系サーバと通信可能に接続されており、投票者の発券要求に応じてかかる投票系サーバに対して発券要求を行なって投票券を発券するほか、レース終了後に当選した投票券に対する払戻しを行なう機能も有するものである。
【００３４】
このように、本構成例では、赤外線通信装置３０がトータリゼータ端末６０を介して情報配信サーバ２０から公営競技情報を取得することができるとともに、携帯端末１０は赤外線通信により赤外線通信装置３０から公営競技情報を取得することができる。
〔１−６〕第６構成例
次に、図８を参照しながら本発明の第６構成例に係る公営競技情報配信システム，赤外線通信装置及びトータリゼータ端末について説明する。図８は本構成例の公営競技情報配信システム，赤外線通信装置及びトータリゼータ端末の構成を示すブロック図である。なお、図８において、既述の符号と同一の符号は、同一の部分もしくはほぼ同一の部分を示しているので、その詳細な説明は省略する。
【００３５】
図８に示すように、本構成例では、加工制御部４０がトータリゼータ端末６０ａにそなえられている。したがって、本構成例では、赤外線通信装置３０ａの制御部３１は、携帯端末１０から赤外線通信により配信要求を受けると、その配信要求に応じた公営競技情報であってトータリゼータ端末６０ａにそなえられた加工制御部４０により携帯端末配信用データに加工された当該公営競技情報を携帯端末１０へ配信するようになっている。なお、赤外線通信装置３０ａの他の構成は、上記第１構成例の赤外線通信装置３０と同様である。
【００３６】
そして、本構成例では、図７を参照しながら上述した第５構成例と同様に、赤外線通信装置３０ａがトータリゼータ端末６０ａを介して情報配信サーバ２０と通信可能に接続されている。
このように、本構成例では、赤外線通信装置３０ａがトータリゼータ端末６０ａを介して情報配信サーバ２０から公営競技情報を取得することができるとともに、携帯端末１０は赤外線通信により赤外線通信装置３０ａから公営競技情報を取得することができる。
【００３７】
〔１−７〕第７構成例
次に、図９，図１０を参照しながら本発明の第７構成例に係る公営競技情報配信システム及びトータリゼータ端末について説明する。図９は本構成例の公営競技情報配信システム及びトータリゼータ端末の構成を示すブロック図であり、図１０は本構成例の公営競技情報配信システムを示す模式図である。なお、図９，図１０において、既述の符号と同一の符号は、同一の部分もしくはほぼ同一の部分を示しているので、その詳細な説明は省略する。
【００３８】
図９，図１０に示すように、本構成例の公営競技情報配信システムは、携帯端末１０，情報配信サーバ２０，トータリゼータ端末６０ｂをそなえて構成され、情報配信サーバ２０とトータリゼータ端末６０ｂとは通信ネットワーク１を介して通信可能に接続されている。
そして、本構成例では、図９に示すように、トータリゼータ端末６０ｂが制御部３１，ハードディスク３２，赤外線アダプタ３３−１〜３３−ｎをそなえて構成され、さらに、制御部３１には加工制御部４０がそなえられている。
【００３９】
したがって、本構成例のトータリゼータ端末６０ｂは、携帯端末１０との間で赤外線通信を行なうための赤外線通信機能をそなえ、携帯端末１０から赤外線通信により配信要求を受けると、その配信要求に応じた公営競技情報であって携帯端末１０で取扱可能な形式の携帯端末配信用データに加工されたものを、赤外線通信により携帯端末１０へ配信するように構成されている。つまり、本構成例では、図１を参照しながら上述した第１構成例の赤外線通信装置３０の機能をトータリゼータ端末６０ｂが兼用するように構成されている。
【００４０】
このように、本構成例では、携帯端末１０は、赤外線通信機能付きトータリゼータ端末６０ｂが情報配信サーバ２０から取得した公営競技情報を、赤外線通信によりトータリゼータ端末６０ｂから取得することができる。
〔１−８〕第８構成例
次に、図１１，図１２を参照しながら本発明の第８構成例に係る公営競技情報配信システム及び赤外線通信装置について説明する。図１１は本構成例の公営競技情報配信システム及び赤外線通信装置の構成を示すブロック図であり、図１２は本構成例の公営競技情報配信システムを示す模式図である。なお、図１１，図１２において、既述の符号と同一の符号は、同一の部分もしくはほぼ同一の部分を示しているので、その詳細な説明は省略する。
【００４１】
図１１，図１２に示すように、本構成例の公営競技情報配信システム及び赤外線通信装置は、携帯端末１０，情報配信サーバ２０，赤外線通信装置（親機）３０ｂ，子機３４をそなえて構成されている。
赤外線通信装置３０ｂは、図１１に示すように、図１を参照しながら上述した第１構成例の赤外線通信装置３０と同様の構成を有しており、この赤外線通信装置３０ｂの制御部３１には赤外線アダプタ３３−１〜３３−ｎと同様の機能を有する赤外線アダプタをそなえた子機３４が接続され、この子機３４は、赤外線通信装置３０ｂとは別体のもので、ケーブルを介して赤外線通信装置３０ｂに接続され、制御部３１よって赤外線通信装置３０ｂ側から制御されるようになっている。
【００４２】
また、本構成例では、上記第１構成例と同様に、情報配信サーバ２０と赤外線通信装置３０ｂとは通信ネットワーク１を介して直接通信可能に接続されている。
したがって、本構成例では、携帯端末１０が赤外線アダプタ３３−１〜３３−ｎを用いて赤外線通信により赤外線通信装置３０ｂと直接情報の送受を行ない得るとともに、赤外線通信装置３０ｂとは個別に設けられた子機３４を用いても情報の送受を行なえるように構成されている。つまり、携帯端末１０は、情報配信サーバ２０が保持する公営競技情報を赤外線通信装置３０ｂ及び子機３４を介して受信することができる。
【００４３】
なお、本構成例では、子機３４を１つだけそなえた例を挙げて説明したが、本発明において子機３４の数は限定されるものではなく、子機３４のみを公営競技場施設内もしくは場外発売所に複数設置することにより、赤外線通信装置３０ｂ自体を複数設置するよりも低コスト化することができる。
また、本構成例では、上記第１構成例の公営競技情報配信システムに子機３４を設けるように構成したが、上記第２〜第７構成例の公営競技情報配信システムに子機３４を設けるようにしてもよい。その際、上記第４構成例の公営競技情報配信システムに子機３４を設ける場合には子機３４をオッズプリンタ５０ｂの制御部３１に接続すればよく、また、
上記第７構成例の公営競技情報配信システムに子機３４を設ける場合には子機３４をトータリゼータ端末６０ｂの制御部３１に接続すればよい。
【００４４】
〔２〕公営競技情報配信システムの通信動作
次に、図１３〜図１９を参照しながら、上述のごとく構成された本発明の公営競技情報配信システムにおける各構成要素間の通信動作について説明する。
〔２−１〕第１通信動作
まず、図１３を参照しながら本発明の公営競技情報配信システムにおける第１通信動作として、携帯端末１０と赤外線通信装置３０との間の通信動作について説明する。図１３は本発明の公営競技情報配信システムに係る第１通信動作の手順を示すフローチャートである。この図１３（ステップＳ１０〜Ｓ１７）に示すように、まず、携帯端末１０から赤外線通信装置３０に対して赤外線通信により通信を行なうべく通信要求が行なわれる（ステップＳ１０）。このとき、携帯端末１０は予め取得した所定のアプリケーションプログラムを実行した上で通信要求を行なう。なお、所定のアプリケーションプログラムの詳細については、下記〔３〕公営競技情報配信システムにおける情報配信方法欄で後述する。
【００４５】
そして、赤外線通信装置３０が携帯端末１０からの通信要求を許可することにより携帯端末１０と赤外線通信装置３０との間の赤外線通信が可能になる（ステップＳ１１）。
次に、携帯端末１０は、公営競技の要項情報の配信要求、もしくは事前に取得した要綱情報に基づいて投票者によって指定された公営競技情報の配信要求を、赤外線通信により赤外線通信装置３０に対して行なう（ステップＳ１２）。
【００４６】
そして、赤外線通信装置３０は携帯端末１０からの情報配信要求に基づいて情報配信サーバ２０と通信を行なって情報検索を行ない（ステップＳ１３）、携帯端末１０からの情報配信要求に対応する情報を赤外線通信により携帯端末１０へ送信する（ステップＳ１４）。なお、その情報は、赤外線通信装置３０，オッズプリンタ５０ａ，トータリゼータ端末６０ａのいずれかにおける加工制御部４０によって携帯端末配信用データに加工されたものである。
【００４７】
携帯端末１０は要求した情報を赤外線通信装置３０から受信すると（ステップＳ１５）、通信を終了するための信号を赤外線通信により赤外線通信装置３０へ送信し（ステップＳ１６）、この信号を赤外線通信装置３０が受信すると携帯端末１０と赤外線通信装置３０との間の通信が終了される（ステップＳ１７）。
このような本通信動作は、上記第１，２，５構成例の公営競技情報配信システムにおける携帯端末１０と赤外線通信装置３０との間で行なわれる通信動作であり、さらに上記第３，６構成例の公営競技情報配信システムにおける携帯端末１０と赤外線通信装置３０ａとの間で行なわれる通信動作でもあり、さらに上記第４，７構成例の公営競技情報配信システムにおける携帯端末１０とオッズプリンタ５０ｂ／トータリゼータ端末６０ｂの赤外線通信機能（即ち、制御部３１，赤外線アダプタ３３−１〜３３−ｎ）との間で行なわれる通信動作でもあり、さらに上記第８構成例の公営競技情報配信システムにおける携帯端末１０と赤外線通信装置３０ｂとの間で子機３４を介して行なわれる通信動作でもある。
【００４８】
〔２−２〕第２通信動作
次に、図１４を参照しながら本発明の公営競技情報配信システムにおける第２通信動作として、赤外線通信装置３０と情報配信サーバ２０との間の通信動作について説明する。図１４は本発明の公営競技情報配信システムに係る第２通信動作の手順を示すフローチャートである。この図１４（ステップＳ２０〜Ｓ２４）に示すように、まず、赤外線通信装置３０は、一定周期毎に通信ネットワーク１を介して情報配信サーバ２０に対して公営競技情報を要求する（ステップＳ２０）。このステップＳ２０における情報要求は、例えば、情報配信サーバ２０が保持している公営競技情報の全てもしくは変更・更新分（既に全ての公営競技情報を保存している場合）を要求するものである。
【００４９】
そして、情報配信サーバ２０は赤外線通信装置３０から情報要求を受信すると（ステップＳ２１）、自身が保持管理している公営競技情報を取り出して通信ネットワーク１を介して赤外線通信装置３０へ送信する（ステップＳ２２）。
次に赤外線通信装置３０は情報配信サーバ２０から送信されてきた情報を取得すると（ステップＳ２３）、この情報を携帯端末１０で取扱可能な形式の携帯端末配信用データに加工する（ステップＳ２４）。このステップＳ２４における情報加工は、上述した加工制御部４０により行なわれるもので、その情報加工では、例えば、情報配信サーバ２０から送信されてきた情報を、圧縮（小サイズ化）したり、式別単位毎に分割加工したり、携帯端末１０で取扱可能な形式にフォーマット変換したりする。なお、赤外線通信装置３０は携帯端末配信用データに加工した情報を、例えばハードディスク３２に保持する。
【００５０】
このような本通信動作は、上記第１構成例の公営競技情報配信システムにおける赤外線通信装置３０と情報配信サーバ２０との間で行なわれる通信動作であるとともに、上記第４，７構成例の公営競技情報配信システムにおけるオッズプリンタ５０ｂ／トータリゼータ端末６０ｂの赤外線通信機能（即ち、制御部３１）と情報配信サーバ２０との間で行なわれる通信動作でもある。
【００５１】
したがって、これら上記第１，４，７構成例の公営競技情報配信システムにおいては、図１３を参照しながら上述した第１通信動作における情報検索ステップ（ステップＳ１３）において、赤外線通信装置３０（制御部３１）は、自身が保持している公営競技情報の中から携帯端末１０からの情報配信要求に対応した情報を検索して、検索された情報を情報送信ステップ（ステップＳ１４）で携帯端末１０に対して送信するように構成されている。
【００５２】
なお、本通信動作の変形例として、情報要求ステップ（ステップＳ２０）が、一定周期毎に行なわれるのではなく、上記第１通信動作の携帯端末１０からの情報配信要求（ステップＳ１２）に基づいて、情報配信サーバ２０に対して情報要求を行なうように構成してもよい。この場合、ステップＳ２０で赤外線通信装置３０が情報配信サーバ２０に対して要求する情報は、携帯端末１０からの情報配信要求に基づく携帯端末１０により指定された公営競技情報のみであり、したがって、ステップＳ２２で情報配信サーバ２０から赤外線通信装置３０へ送信される情報は、情報配信サーバ２０が管理・保持している各種公営競技情報の中から赤外線通信装置３０が要求してきた情報のみである。そのため、ステップＳ２４においては、赤外線通信装置３０の加工制御部４０では、携帯端末１０からの情報配信要求に基づく公営競技情報のみが携帯端末配信用データに加工される。
【００５３】
したがって、このような場合には、上記第１，４，７構成例の公営競技情報配信システムにおいては、上記第１通信動作における情報検索ステップ（ステップＳ１３）において、本通信動作（ステップＳ２０〜Ｓ２４）が行なわれることになる。つまり、上記第１通信動作の情報送信ステップ（ステップＳ１４）において赤外線通信装置３０から携帯端末１０へ送信される情報は、本通信動作の情報加工ステップ（ステップＳ２４）で携帯端末配信用データに加工された情報となる。
【００５４】
〔２−３〕第３通信動作
次に、図１５を参照しながら本発明の公営競技情報配信システムにおける第３通信動作として、赤外線通信装置３０とオッズプリンタ５０もしくはトータリゼータ端末６０と情報配信サーバ２０との３者間の通信動作について説明する。
図１５は本発明の公営競技情報配信システムに係る第３通信動作の手順を示すフローチャートである。この図１５（ステップＳ３０〜Ｓ３８）に示すように、まず、オッズプリンタ５０もしくはトータリゼータ端末６０（以下、既存端末という）は一定周期毎に情報配信サーバ２０に対して公営競技情報を要求し（ステップＳ３０）、情報配信サーバ２０は既存端末からの情報要求を受信すると（ステップＳ３１）、自身が管理・保持している公営競技情報を既存端末に送信して（ステップＳ３２）、既存端末がかかる情報を取得する（ステップＳ３３）。なお、ステップＳ３０において既存端末が要求する情報は、例えば、情報配信サーバ２０が保持している各種公営競技情報の全てもしくは変更・更新分（既に全ての公営競技情報を保存している場合）である。また、既存端末は、取得した情報を自身のメモリ等に保持する。
【００５５】
そして、赤外線通信装置３０から公営競技情報の要求がされ（ステップＳ３４）、この情報要求を既存端末が受信すると（ステップＳ３５）、既存端末はステップＳ３３において取得した情報を赤外線通信装置３０に対して送信する（ステップＳ３６）。
次に、赤外線通信装置３０は既存端末から情報を取得すると（ステップＳ３７）、かかる情報を携帯端末配信用データに加工する（ステップＳ３８）。なお、ステップＳ３８における情報加工は、図１４を参照しながら上述した第２通信動作のステップＳ２４における情報加工と同様である。
【００５６】
このような本通信動作は、上記第２構成例の公営競技情報配信システムにおける赤外線通信装置３０，オッズプリンタ５０，情報配信サーバ２０間で行なわれる通信動作であり、また、上記第５構成例の公営競技情報配信システムにおける赤外線通信装置３０，トータリゼータ端末６０，情報配信サーバ２０間で行なわれる通信動作である。
したがって、これら上記第２，５構成例の公営競技情報配信システムにおいては、図１３を参照しながら上述した第１通信動作における情報検索ステップ（ステップＳ１３）において、本通信動作におけるステップＳ３４〜Ｓ３８が行なわれることになる。つまり、上記第１通信動作の情報検索ステップ（ステップＳ１３）において、赤外線通信装置３０は、ステップＳ３７において既存端末から取得し、ステップＳ３８において携帯端末配信用データに加工した自身が保持する公営競技情報の中から、携帯端末１０からの情報配信要求に対応した情報を検索して、検索された情報を情報送信ステップ（ステップＳ１４）で携帯端末１０に対して送信するように構成されている。
【００５７】
なお、本通信動作の変形例として、既存端末が赤外線通信装置３０からの情報要求に応じて情報配信サーバ２０に対して情報要求を行なう通信動作について説明する。図１６は本発明の公営競技情報配信システムに係る第３通信動作の変形例の手順を示すフローチャートである。この図１６（ステップＳ４０〜Ｓ４８）に示すように、本変形例では、まず、赤外線通信装置３０からの公営競技情報の取得要求が行なわれ（ステップＳ４０）、この情報要求を既存端末が受信することにより（ステップＳ４１）、既存端末は情報配信サーバ２０に対して公営競技情報の要求を行なう（ステップＳ４２）。なお、以下の通信動作は、図１５を参照しながら上述した本通信動作と同様であるため、即ち、ステップＳ４３〜Ｓ４５はステップＳ３１〜Ｓ３３にそれぞれ相当し、ステップＳ４６〜Ｓ４８はステップＳ３６〜Ｓ３８にそれぞれ相当するため、ここではその詳細な説明は省略する。
【００５８】
なお、本変形例では、既存端末が赤外線通信装置３０からの情報要求に応じて情報配信サーバ２０から情報を取得するため、既存端末が情報配信サーバ２０に対してステップＳ４２で要求する情報は、情報配信サーバ２０が管理・保持している公営競技情報の全てもしくは変更・更新分（既に全ての公営競技情報を保存している場合）ではなく、赤外線通信装置３０が要求してきた情報（即ち、携帯端末１０からの情報配信要求に基づく携帯端末１０により指定された公営競技情報）のみであってもよい。
【００５９】
このような本変形例の通信動作では、上記第２，５構成例の公営競技情報配信システムにおいては、図１３を参照しながら上述した第１通信動作における情報検索ステップ（ステップＳ１３）において、本変形例におけるステップＳ４０〜Ｓ４８が行なわれることになる。
なお、本通信動作において赤外線通信装置３０の既存端末への情報要求（ステップＳ３４；変形例ではステップＳ４０）は、上述のごとく一定周期毎であってもよいし、携帯端末１０からの情報配信要求に応じて行なうようにしてもよい。
【００６０】
〔２−４〕第４通信動作
次に、図１７を参照しながら本発明の公営競技情報配信システムにおける第４通信動作として、赤外線通信装置３０ａとオッズプリンタ５０ａもしくはトータリゼータ端末６０ａと情報配信サーバ２０との３者間の通信動作について説明する。つまり、本通信動作は、上記第３構成例の公営競技情報配信システムにおける赤外線通信装置３０ａ，オッズプリンタ５０ａ，情報配信サーバ２０間で行なわれる通信動作であり、また、上記第６構成例の公営競技情報配信システムにおける赤外線通信装置３０ａ，トータリゼータ端末６０ａ，情報配信サーバ２０間で行なわれる通信動作である。
【００６１】
図１７は本発明の公営競技情報配信システムに係る第４通信動作の手順を示すフローチャートである。上述したように、本通信動作は上記第３，６構成例における構成要素間での通信動作であり、図１７（ステップＳ５０〜Ｓ５８）に示すように、本通信動作は、図１５を参照しながら上述した第３通信動作に対して、情報配信サーバ２０から取得した公営競技情報をオッズプリンタ５０ａもしくはトータリゼータ端末６０ａ（以下、既存端末という）において携帯端末配信用データに加工する点（ステップＳ５４）が異なっている。
【００６２】
つまり、本通信動作におけるステップＳ５０〜Ｓ５３は上記第３通信動作におけるステップＳ３０〜Ｓ３３と同様である。そして、本通信動作では、情報配信サーバ２０から取得した情報を既存端末における加工制御部４０によって携帯端末配信用データに加工する（ステップＳ５４）。
次に、赤外線通信装置３０ａから公営競技情報の要求がされ（ステップＳ５５）、この情報要求を既存端末が受信すると（ステップＳ５６）、既存端末は、ステップＳ５４において携帯端末配信用データに加工して保持している公営競技情報の中からかかる情報要求に対応した情報のみを赤外線通信装置３０ａへ送信し（ステップＳ５７）、これを赤外線通信装置３０ａが取得する（ステップＳ５８）。
【００６３】
したがって、上記第３，６構成例の公営競技情報配信システムにおいては、図１３を参照しながら上述した第１通信動作における情報検索ステップ（ステップＳ１３）において、本通信動作におけるステップＳ５５〜Ｓ５８が行なわれることになる。
なお、本通信動作の変形例として、既存端末が赤外線通信装置３０ａからの情報要求に応じて情報配信サーバ２０に対して情報要求を行なう通信動作について説明する。図１８は本発明の公営競技情報配信システムに係る第４通信動作の変形例の手順を示すフローチャートである。この図１８（ステップＳ６０〜Ｓ６８）に示すように、本変形例は、図１６を参照しながら上述した第３通信動作の変形例と同様の変形を、上記第４通信動作に施したものである。したがって、本変形例では上記第３通信動作の変形例に対して、既存端末において、情報配信サーバ２０から取得した情報を携帯端末配信用データに加工する点（ステップＳ６６）が異なっている。
【００６４】
なお、本通信動作において、赤外線通信装置３０ａの既存端末への情報要求（ステップＳ５５；変形例ではステップＳ６０）は、携帯端末１０からの情報配信要求に応じて行なわれる。
〔２−５〕第５通信動作
次に、図１９を参照しながら本発明の公営競技情報配信システムにおける第５通信動作として、子機３４と赤外線通信装置との間の通信動作について説明する。つまり、本通信動作は、上記第８構成例の公営競技情報配信システムにおける子機３４と赤外線通信装置３０ｂ（もしくは赤外線通信装置３０ａ，オッズプリンタ５０ｂ，トータリゼータ端末６０ｂ；以下、単に赤外線通信装置という）との間で行なわれる通信動作である。
【００６５】
図１９は本発明の公営競技情報配信システムに係る第５通信動作の手順を示すフローチャートである。上述したように、本通信動作は上記第８構成例における子機３４と赤外線通信装置との間での通信動作であり、図１９（ステップＳ７０〜Ｓ７３）に示すように、本通信動作では、子機３４が、携帯端末１０からの情報配信要求に応じて赤外線通信装置に対して情報要求を行なう（ステップＳ７０）。そして、赤外線通信装置は子機３４からの情報要求を受信すると（ステップＳ７１）、この情報要求に基づいた情報（即ち、携帯端末１０からの情報配信要求に基づく携帯端末１０により指定された公営競技情報）を子機３４に送信する（ステップＳ７２）。
【００６６】
そして、子機３４は赤外線通信装置から送信されてきた情報をそのまま携帯端末１０へ送信するようになっている（ステップＳ７３）。
このように、本通信動作では子機３４と赤外線通信装置との間の通信動作を行なうため、子機３４を上記第８構成例のごとく赤外線通信装置３０ｂに接続した場合及び子機３４を上記第４，７構成例に接続した場合には、図１９では図示していないが、赤外線通信装置３０ｂ，オッズプリンタ５０ｂもしくはトータリゼータ端末６０ｂにおけるステップＳ７１とステップＳ７２との間で、図１４を参照しながら上述した第２通信動作が行なわれる。
【００６７】
また、子機３４を上記第２，５構成例に接続した場合には、図１９には図示していないが、赤外線通信装置３０におけるステップＳ７１とステップＳ７２との間で、図１５，図１６を参照しながら上述した第３通信動作が行なわれ、さらに、子機３４を上記第３，６構成例に接続した場合には、図１９には図示していないが、赤外線通信装置３０ａにおけるステップＳ７１とステップＳ７２との間で、図１７，図１８を参照しながら上述した第４通信動作が行なわれる。
【００６８】
〔３〕公営競技情報配信システムにおける情報配信方法
次に、図２０〜図２２を参照しながら、本発明の公営競技情報配信システムにおける情報配信の具体的な実施方法及び本発明の赤外線通信装置並びにオッズプリンタ及びトータリゼータ端末を用いて公営競技情報を配信する具体的な実施方法について説明する。なお、ここでは図１，図２を参照しながら上述した第１構成例に係る公営競技情報配信システムを用いて、本発明の公営競技情報配信システムにおける情報配信の実施方法について説明する。
【００６９】
本発明の公営競技情報配信システムにおける情報配信は、投票者によって操作される携帯端末１０が所定のアプリケーションプログラムを実行して、情報配信サーバ２０に対して情報配信要求を行なうことにより、投票者が所望の情報を取得できるようになっている。したがって、本公営競技情報配信システムを利用する投票者は、上記所定のアプリケーションプログラムを携帯端末１０に事前にインストールしておく必要がある。
【００７０】
そのため、本発明の公営競技情報配信システムでは、携帯端末１０が上記所定のアプリケーションプログラムが保持されたダウンロードサーバ（ウェブサーバ）から上記所定のアプリケーションプログラムをダウンロードできるように構成されている（図示略）。
そして、本公営競技情報配信システムでは、携帯端末１０が上記所定のアプリケーションプログラムを実行することにより、情報配信要求を行なうための操作を投票者に促すとともに、投票者の操作に応じた配信要求を赤外線通信装置３０（もしくは赤外線通信装置３０ａ，３０ｂ，オッズプリンタ５０ｂ，トータリゼータ端末６０ｂ）に対して行なうようになっている。この具体的な実施方法について、以下、図２０，図２１を参照しながら説明する。
【００７１】
図２０は本発明の公営競技情報配信システムにおいて携帯端末が要項情報を取得するまでの動作手順を示すフローチャートである。この図２０（ステップＳ８０〜Ｓ８８）に示すように、本公営競技情報配信システムでは、公営競技場施設内発売所もしくは場外発売所（以下、単に発売所という）に入場した投票者は、まず、上記所定のアプリケーションプログラムに基づいて携帯端末１０に、情報配信サーバ２０が保持している発売所で現在取り扱っている（つまり、投票券を発売中もしくは発売予定である）各種公営競技情報の要項情報（競技場情報，レース情報，式別情報等）を赤外線通信により赤外線通信装置３０から取得する。
【００７２】
つまり、投票者が発売所に入場し、携帯端末１０の上記所定のアプリケーションプログラムが起動されると、携帯端末１０に最新の要項情報が取得されているか否かが認識され、要項情報取得を要求するか否かがを判断される（ステップＳ８０）。
ここで、要項情報取得を要求しない場合（ステップＳ８０のＮＯルート）、携帯端末１０が以前取得して保存済みの要項情報（ここではオッズ情報のみを参照するモード）で上記の所定のアプリケーションプログラムが起動され、この処理が終了される。なお、要項情報取得を要求して失敗した場合にも、上述のモードで上記の所定のアプリケーションプログラムが起動される。
【００７３】
一方、要項情報取得を要求する場合（ステップＳ８０のＹＥＳルート）、携帯端末１０から赤外線通信装置３０に対して赤外線通信により通信を行なうべく赤外線通信要求が行なわれ（ステップＳ８１）、赤外線通信装置３０が携帯端末１０からの赤外線通信要求を許可することにより携帯端末１０と赤外線通信装置３０との間の赤外線通信が可能になる（ステップＳ８２）。
【００７４】
そして、携帯端末１０は赤外線通信により赤外線通信装置３０に対して最新の要項情報の配信要求を行ない（ステップＳ８３）、赤外線通信装置３０は携帯端末１０からの要項情報配信要求を受信すると（ステップＳ８４）、最新の要項情報を赤外線通信により携帯端末１０へ送信する（ステップＳ８５）。
なお、赤外線通信装置３０は、一定周期毎に通信ネットワーク１を介して情報配信サーバ２０から最新の要項情報を取得し、ハードディスク３２に保持するように構成されている。しがたって、赤外線通信装置３０の制御部３１は、携帯端末１０から赤外線通信により要項情報配信要求を受けると、ハードディスク３２から最新の要項情報を取り出して赤外線通信により携帯端末１０へ送信するようになっている。なお、送信すべき要項情報（最新の要項情報）が赤外線通信装置３０に存在しない場合には、取得失敗が赤外線通信装置３０から携帯端末１０に通知される。
【００７５】
そして、携帯端末１０は、赤外線通信装置３０から赤外線通信により送信されてきた要項情報を取得すると（ステップＳ８６）、通信を終了するための信号を赤外線通信により赤外線通信装置３０へ送信し（ステップＳ８７）、この信号を赤外線通信装置３０が受信すると携帯端末１０と赤外線通信装置３０との間の通信が終了される（ステップＳ８８）。
【００７６】
次に、携帯端末１０が、赤外線通信装置３０から取得した要項情報に基づいて、投票者の所望の公営競技情報を取得する実施方法について説明する。図２１は本発明の公営競技情報配信システムにおいて携帯端末が投票者所望の公営競技情報を取得する手順を示すフローチャートである。この図２１（ステップＳ９０〜Ｓ１００）に示すように、まず、投票者は、携帯端末１０の所定のアプリケーションプログラムを起動し、赤外線通信装置３０から取得した要項情報（もしくは保存済みの要項情報）が携帯端末１０上で表示されると、その要項情報の表示内容に従って、取得したい公営競技情報（ここではオッズ情報）の条件を指定する（ステップＳ９０）。ここでは、例えば、オッズ情報を競技が行なわれる競技場名で指定でき、さらに、その競技場で発売中のレースをレース番号で指定でき、さらには、そのレース番号の式別単位を指定できる。
【００７７】
そして、指定する条件が決定したら、携帯端末１０から赤外線通信装置３０に対して赤外線通信により通信を行なうべく赤外線通信要求を行ない（ステップＳ９１）、赤外線通信装置３０が携帯端末１０からの赤外線通信要求を許可することにより携帯端末１０と赤外線通信装置３０との間の赤外線通信が可能になる（ステップＳ９２）。
次に、携帯端末１０は、上記ステップＳ９０で条件指定した所望のオッズ情報を取得すべく、赤外線通信により赤外線通信装置３０に対してオッズ情報の配信要求を行ない（ステップＳ９３）、赤外線通信装置３０は携帯端末１０からのオッズ情報配信要求を受信すると（ステップＳ９４）、赤外線通信装置３０は、赤外線通信装置３０自身もしくは情報配信サーバ２０が保持する公営競技情報の中からオッズ情報配信要求に対応したオッズ情報を検索する（ステップＳ９５）。つまり、ここでは、指定された場名とレース番号とに一致するオッズ情報を検索する。なお、赤外線通信装置３０では、場名が指定されていない場合には、予め設定しておいた優先競技場が指定され、レース番号が指定されていない場合には、発売中のレースの中で最近のものを指定するように構成されている。
【００７８】
そして、赤外線通信装置３０は、オッズ情報配信要求に対応したオッズ情報が存在する場合には、そのオッズ情報を最新の要項情報とともに、赤外線通信により携帯端末１０へ送信する（ステップＳ９６）。なお、携帯端末１０へ送信されるオッズ情報は上記加工制御部４０において携帯端末配信用データに加工されたものが送信される。一方、オッズ情報配信要求に対応したオッズ情報が存在しない場合には、赤外線通信装置３０は携帯端末１０に対してエラーを送信するようになっている（ステップＳ９６）。
【００７９】
そして、携帯端末１０は、赤外線通信装置３０からオッズ情報を取得する、もしくは、エラーを受信すると（ステップＳ９７）、通信を終了するための信号を赤外線通信により赤外線通信装置３０へ送信し（ステップＳ９８）、この信号を赤外線通信装置３０が受信すると携帯端末１０と赤外線通信装置３０との間の通信が終了される（ステップＳ９９）。
【００８０】
そして、携帯端末１０は、赤外線通信装置３０よりオッズ情報を取得した場合には、取得したオッズ情報を携帯端末１０の表示画面に表示する（ステップＳ１００）。図２２はオッズ情報取得時の携帯端末１０の表示画面の表示例を示す模式図であるが、このとき、この図２２に示すように、携帯端末１０の表示画面には、指定した競技場名，レース番号及び式別単位とともに、これら条件で絞られたオッズ情報が表示される。
【００８１】
なお、携帯端末１０は赤外線通信装置３０よりエラーを受信した場合には、携帯端末１０の表示画面にエラーメッセージを表示するようになっている（ステップＳ１００）。
上述したように、本公営競技情報配信システムでは、携帯端末１０が、投票者の操作に応じて、公営競技の要項情報の配信要求を赤外線通信により赤外線通信装置３０に対して行なうとともに、この配信要求に応じて赤外線通信装置３０から赤外線通信により配信されてきた要項情報に基づき、投票者によって指定された公営競技情報の配信要求を、赤外線通信により赤外線通信装置３０に対して行なうことができる。
【００８２】
なお、本公営競技情報配信システムにおける情報配信の実施方法について、上記第１構成例を例に挙げて説明したが、上記第２〜第８構成例においても上述した方法と同様の方法で情報配信が実施される。
また、ここでは、公営競技情報として要項情報やオッズ情報を配信する場合について説明したが、本公営競技情報配信システムによれば、投票者は、要項情報の内容に従って、オッズ情報以外にも、出走表，選手プロフィール，開催情報などの公営競技情報の配信を携帯端末１０で受けることができる。
【００８３】
このように、本実施形態の公営競技情報配信システムによれば、携帯端末１０と赤外線通信機能を有する端末（赤外線通信装置３０，３０ａ並びにオッズプリンタ５０ｂ及びトータリゼータ端末６０ｂ，子機３４）間で赤外線通信により各種情報の送受を行なうため、確実かつ高速で各種情報の送受を行なうことができる。
また、既存のシステムに赤外線通信装置３０，３０ａ，３０ｂを設けるか、もしくは既存の端末（オッズプリンタ及びトータリゼータ端末）に赤外線通信機能を付加することにより、本公営競技情報配信システムを実現することができるため、低コストで本公営競技情報配信システムをそなえることができる。さらに、用紙を使用しないため、低コストで公営競技情報（オッズ情報）の配信を行なうことができる。
【００８４】
さらに、投票者が公営競技情報（オッズ情報）を取得するための端末を増設するために、赤外線通信装置３０，３０ａ，３０ｂやこれらに設けられる赤外線アダプタ３３−１〜３３−ｎ及び子機３４を増設するという低コストで簡易的な改良を行なうだけでよくなる。
また、携帯端末１０と情報配信サーバ２０との間に加工制御部４０が介在するため、情報配信サーバ２０から携帯端末１０へ配信する情報を、確実に携帯端末１０が取扱可能な形式の携帯端末配信用データに加工することができる。さらに、投票者によって指定された情報配信要求に応じて公営競技情報を確実に抽出（選択）して携帯端末１０へ配信することができる。
【００８５】
また、特に、上記第５〜７構成例に示したように、従来は公営競技情報の配信を行なっておらず、しかも投票終了間際やレース終了までは混雑していなかったトータリゼータ端末に情報配信機能を付与することにより、従来では、投票者が公営競技情報（オッズ情報）を取得するために生じていた混雑を確実に分散して解消することができ、投票者の利便性を高めることができる。
【００８６】
〔４〕公営競技情報配信システムにおける投票方法
次に、図２３，図２４を参照しながら、本発明の公営競技情報配信システムにおける具体的な投票方法及び本発明の赤外線通信装置並びにオッズプリンタ及びトータリゼータ端末を用いて行なう具体的な投票方法について説明する。なお、ここでは、図１，図２を参照しながら上述した第１構成例に係る公営競技情報配信システムと、図９，図１０を参照しながら上述した第７構成例に係る公営競技情報配信システム（トータリゼータ端末６０ｂ）とを併合した構成例において実施される投票方法について説明する。
【００８７】
図２３は本発明の公営競技情報配信システムが接続されている公営競技における一般的なシステムの全体構成を示すブロック図である。なお、図２３において、既述の符号と同一の符号は、同一の部分もしくはほぼ同一の部分を示しているので、その詳細な説明は省略する。この図２３に示すように、本発明の公営競技情報配信システムを成す情報配信サーバ２０は、上位サーバ７０に通信ネットワーク１を介して接続され、この上位サーバ７０には情報配信サーバ２０とともに投票券の発券状況を管理する投票系サーバ８０が接続されている。つまり、上位サーバ７０，情報配信サーバ２０，投票系サーバ８０は同一の通信ネットワーク１上に接続され、相互に通信可能に構成されている。
【００８８】
上位サーバ７０は、情報配信サーバ２０が管理・保持する情報と投票系サーバ７０が管理・保持する情報とを統括的に管理・保持するものである。
また、投票系サーバ８０には通信ネットワーク１を介して赤外線通信機能付きトータリゼータ端末６０ｂが接続されている。
また、情報配信サーバ２０には、通信ネットワーク１を介して赤外線通信装置３０及びオッズプリンタ５０が通信可能に接続されているとともに、通信ネットワーク１を介してトータリゼータ端末６０ｂも情報配信サーバ２０と通信可能に接続されている。
【００８９】
図２４は本発明の公営競技情報配信システムにおける投票方法の手順を示すフローチャートである。なお、ここでは携帯端末１０が投票者の操作により、上記第７構成例のトータリゼータ端末６０ｂに対して赤外線通信により投票券の発券要求を行なうことによって、投票を行なう方法を例に挙げて説明する。
本投票方法は携帯端末１０において上記所定のアプリケーションプログラムを実行することにより実施されるものであり、図２４（ステップＳ１１０〜Ｓ１１９）に示すように、投票者は、携帯端末１０上において、まず、図２０〜図２２を参照しながら上述した情報配信方法により取得したオッズ情報に基づいて、投票したいオッズ情報を選択して、選択したオッズ情報を対応する組番を登録するとともに、登録した組番に投票する金額を入力することにより投票データを作成する（ステップＳ１１０）。
【００９０】
そして、投票者は、トータリゼータ端末６０ｂの現金投入口に現金を投入し（ステップＳ１１１）、携帯端末１０からトータリゼータ端末６０ｂに対して赤外線通信により通信を行なうべく赤外線通信要求を行ない（ステップＳ１１２）、トータリゼータ端末６０ｂが携帯端末１０からの赤外線通信要求を許可することにより携帯端末１０とトータリゼータ端末６０ｂとの間の赤外線通信が可能になる（ステップＳ１１３）。
【００９１】
次に、携帯端末１０から上記ステップＳ１１０で作成した投票データを赤外線通信によりトータリゼータ端末６０ｂに送信し（ステップＳ１１４）、この投票データをトータリゼータ端末６０ｂが受信すると（ステップＳ１１５）、携帯端末１０は通信を終了するための信号を赤外線通信によりトータリゼータ端末６０ｂへ送信し（ステップＳ１１６）、この信号をトータリゼータ端末６０ｂが受信すると携帯端末１０とトータリゼータ端末６０ｂとの間の通信が終了される（ステップＳ１１７）。なお、ステップＳ１１５において、トータリゼータ端末６０ｂは受信した投票データを、通信ネットワーク１を介して投票系サーバ８０へ登録する。
【００９２】
そして、トータリゼータ端末６０ｂは、かかる投票データに基づいて投票券を発行して（ステップＳ１１８）、精算を行なってから（ステップＳ１１９）、処理を終了する。
つまり、本投票方法によれば、携帯端末１０が、投票者の操作に応じて、赤外線通信機能付きトータリゼータ端末６０ｂから赤外線通信により配信されてきたオッズ情報に基づき投票者によって指定された投票内容（投票データ）の投票券の発券要求（投票）を、赤外線通信により行なうことができる。
【００９３】
なお、本投票方法では、上記ステップＳ１１５において、トータリゼータ端末６０ｂが、携帯端末１０から受信した投票データに誤りが無ければステップＳ１１８において投票券を発行するが、この投票データに誤りがあればトータリゼータ端末６０ｂの表示部で投票データに誤りがあることを投票者に案内し、投票者がトータリゼータ端末６０ｂにおけるタッチパネル等を操作してかかる誤りを修正した後に、ステップＳ１１８において投票券を発行するようになっている。
【００９４】
なお、本発明の公営競技情報配信システムにおける投票方法のその他の例として、図２３に示す構成において、オッズ情報に基づき投票者によって指定された投票内容（投票データ）を、携帯端末１０が赤外線通信により赤外線通信装置３０へ送信し、赤外線通信装置３０から通信ネットワーク１を介して直接投票系サーバ８０へ投票するように構成してもよい。また、その際、赤外線通信装置３０からトータリゼータ端末６０ｂを介して投票系サーバ８０へ投票するように構成してもよい。
【００９５】
さらに、その他の例として、上記第４構成例に係るオッズプリンタ５０ｂがそなえられた公営競技情報配信システムにおいては、このオッズプリンタ５０ｂから通信ネットワーク１を介して直接投票系サーバ８０へ投票するか、もしくは、その際にトータリゼータ端末６０を介して投票系サーバ８０へ投票するように構成してもよい。
このように、本実施形態の公営競技情報配信システムによれば、上述した情報配信方法により取得した所望のオッズ情報を見ながら投票候補を選択して投票データを作成し、そのまま赤外線通信により投票を行なうことができるため、従来のように投票カードに投票するオッズ情報や金額等を記入する手間を省くことができる。
【００９６】
さらに、本実施形態の公営競技情報配信システムによれば、携帯端末１０から赤外線通信により、赤外線通信装置３０，３０ａ，３０ｂ並びにオッズプリンタ５０ｂ及びトータリゼータ端末６０ｂから投票系サーバ８０に対して投票を行なうことができるため、投票時の混雑を分散して解消することができるとともに、投票者はオッズ情報の取得から投票までを効率良く行なうことができ、投票者の利便性を高めることができる。
【００９７】
〔５〕その他
なお、本発明は上述した実施形態に限定されるものではなく、本発明の趣旨を逸脱しない範囲で種々変形または組み合わせて実施することができる。
また、上述したように、本公営競技情報配信システムにおける携帯端末１０は、赤外線通信機能が付与されているため、携帯端末１０が複数存在する場合は当然携帯端末１０間で赤外線通信により情報の送受が可能となる。したがって上述した赤外線通信装置３０，３０ａ，３０ｂ並びにオッズプリンタ５０ｂ及びトータリゼータ端末６０ｂを利用せずに、所望のオッズ情報を取得した携帯端末１０があれば、投票者はこの携帯端末１０から別の（自身が所持する）携帯端末１０へかかるオッズ情報を送信することもできる。これにより、赤外線通信装置３０，３０ａ，３０ｂ並びにオッズプリンタ５０ｂ及びトータリゼータ端末６０ｂの設置台数を少なくすることもできる。
さらに、赤外線通信装置３０，３０ａ，３０ｂ，オッズプリンタ５０ａ，５０ｂ，トータリゼータ端末６０ａ，６０ｂにおける制御部３１や加工制御部４０としての機能は、例えば、これらの装置を構成するＣＰＵ（Central Processing Unit）により所定のアプリケーションプログラムを実行することで実現される。
【００９８】
〔６〕付記
（付記１）  公営競技の投票者によって所持される赤外線通信機能付き携帯端末と、
公営競技のオッズ情報を含む各種公営競技情報を管理・保持する情報配信サーバと、
公営競技場施設内もしくは場外発売所に配置され、該携帯端末との間で赤外線通信を行ないうる赤外線通信装置と、
該赤外線通信装置から該携帯端末へ配信すべく該情報配信サーバから取得された公営競技情報を、該携帯端末で取扱可能な形式の携帯端末配信用データに加工するための加工制御部とをそなえ、
該赤外線通信装置が、該携帯端末から前記赤外線通信により配信要求を受けると、その配信要求に応じた公営競技情報であって該加工制御部により上記携帯端末配信用データに加工されたものを、前記赤外線通信により該携帯端末へ配信することを特徴とする、公営競技情報配信システム。
【００９９】
（付記２）  該赤外線通信装置が、通信ネットワークに接続され、該通信ネットワークを介して該情報配信サーバと通信可能に接続されていることを特徴とする、付記１記載の公営競技情報配信システム。
（付記３）  前記オッズ情報をプリントアウトして提供するオッズプリンタをそなえ、該赤外線通信装置が、該オッズプリンタに接続され、該オッズプリンタを介して該情報配信サーバと通信可能に接続されていることを特徴とする、付記１記載の公営競技情報配信システム。
【０１００】
（付記４）  前記オッズ情報をプリントアウトして提供する赤外線通信機能付きオッズプリンタをそなえ、該オッズプリンタの赤外線通信機能が、該赤外線通信装置として用いられることを特徴とする、付記１記載の公営競技情報配信システム。
（付記５）  投票券の自動発券を行なうトータリゼータ端末をそなえ、該赤外線通信装置が、該トータリゼータ端末に接続され、該トータリゼータ端末を介して該情報配信サーバと通信可能に接続されていることを特徴とする、付記１記載の公営競技情報配信システム。
【０１０１】
（付記６）  投票券の自動発券を行なう赤外線通信機能付きトータリゼータ端末をそなえ、該トータリゼータ端末の赤外線通信機能が、該赤外線通信装置として用いられることを特徴とする、付記１記載の公営競技情報配信システム。
（付記７）  該加工制御部が、該赤外線通信装置にそなえられていることを特徴とする、付記１〜付記６のいずれか一項に記載の公営競技情報配信システム。
【０１０２】
（付記８）  該加工制御部が、該オッズプリンタにそなえられていることを特徴とする、付記３または付記４に記載の公営競技情報配信システム。
（付記９）  該加工制御部が、該トータリゼータ端末にそなえられていることを特徴とする、付記５または付記６に記載の公営競技情報配信システム。
（付記１０）  該携帯端末が、該投票者の操作に応じて、前記公営競技の要項情報の配信要求を前記赤外線通信により該赤外線通信装置に対して行なうとともに、当該配信要求に応じて該赤外線通信装置から前記赤外線通信により配信されてきた前記要項情報に基づき該投票者によって指定された公営競技情報の配信要求を、前記赤外線通信により該赤外線通信装置に対して行なうように構成されたことを特徴とする、付記１〜付記９のいずれか一項に記載の公営競技情報配信システム。
【０１０３】
（付記１１）  該携帯端末が、該投票者の操作に応じて、該赤外線通信装置から前記赤外線通信により配信されてきた公営競技情報に基づき該投票者によって指定された投票内容の投票券の発券要求を、前記赤外線通信により行なうように構成されたことを特徴とする、付記１〜付記１０のいずれか一項に記載の公営競技情報配信システム。
（付記１２）  該赤外線通信装置が、投票券の発券状況を管理する投票系サーバと通信可能に接続されており、該携帯端末が、該赤外線通信装置を介して該投票系サーバに対して前記発券要求を行なうように構成されたことを特徴とする、付記１１記載の公営競技情報配信システム。
【０１０４】
（付記１３）  該携帯端末が、所定のアプリケーションプログラムを実行することにより、前記配信要求を行なうための操作を該投票者に促すとともに、該投票者の操作に応じた配信要求を該赤外線通信装置に対して行なうように構成されていることを特徴とする、付記１〜付記１２のいずれか一項に記載の公営競技情報配信システム。
（付記１４）  該所定のアプリケーションプログラムが、通信ネットワークを介してダウンロードサーバから該携帯端末にダウンロードされることを特徴とする、付記１３記載の公営競技情報配信システム。
【０１０５】
（付記１５）  公営競技場施設内もしくは場外発売所に配置され、
公営競技の投票者によって所持される赤外線通信機能付き携帯端末との間で赤外線通信可能に構成され、
該携帯端末から前記赤外線通信により配信要求を受けると、その配信要求に応じた公営競技情報であって該携帯端末で取扱可能な形式の携帯端末配信用データに加工されたものを、前記赤外線通信により該携帯端末へ配信するように構成されたことを特徴とする、赤外線通信装置。
【０１０６】
（付記１６）  公営競技のオッズ情報を含む各種公営競技情報を管理・保持する情報配信サーバと通信可能に接続され、
前記配信要求に応じて該情報配信サーバから取得された前記公営競技情報を、前記携帯端末配信用データに加工するための加工制御部をそなえたことを特徴とする、付記１５記載の赤外線通信装置。
【０１０７】
（付記１７）  前記公営競技情報に含まれるオッズ情報をプリントアウトして提供するオッズプリンタに接続され、該オッズプリンタを介して該情報配信サーバと通信可能に接続されていることを特徴とする、付記１６記載の赤外線通信装置。
（付記１８）  投票券の自動発券を行なうトータリゼータ端末に接続され、該トータリゼータ端末を介して該情報配信サーバと通信可能に接続されている
ことを特徴とする、付記１６記載の赤外線通信装置。
【０１０８】
（付記１９）  該携帯端末との間で赤外線の送受を行なう赤外線アダプタと該赤外線アダプタを制御して前記赤外線通信を実行させる制御部とを含む親機と、
該親機に接続され、該制御部によって該親機側から制御される赤外線アダプタを含む子機とから構成されたことを特徴とする、付記１５〜付記１８のいずれか一項に記載の赤外線通信装置。
【０１０９】
（付記２０）  公営競技のオッズ情報を含む各種公営競技情報を管理・保持する情報配信サーバと通信可能に接続され、前記オッズ情報をプリントアウトして提供するオッズプリンタであって、
公営競技の投票者によって所持される赤外線通信機能付き携帯端末との間で赤外線通信を行なうための赤外線通信機能をそなえ、
該携帯端末から前記赤外線通信により配信要求を受けると、その配信要求に応じた公営競技情報であって該携帯端末で取扱可能な形式の携帯端末配信用データに加工されたものを、前記赤外線通信により該携帯端末へ配信するように構成されたことを特徴とする、オッズプリンタ。
【０１１０】
（付記２１）  前記配信要求に応じて該情報配信サーバから取得された前記公営競技情報を、前記携帯端末配信用データに加工するための加工制御部をそなえたことを特徴とする、付記２０記載のオッズプリンタ。
（付記２２）  公営競技のオッズ情報を含む各種公営競技情報を管理・保持する情報配信サーバと通信可能に接続され、前記オッズ情報をプリントアウトして提供するオッズプリンタであって、
携帯端末へ配信すべく該情報配信サーバから取得された公営競技情報を、該携帯端末で取扱可能な形式の携帯端末配信用データに加工するための加工制御部をそなえたことを特徴とする、オッズプリンタ。
【０１１１】
（付記２３）  投票券の自動発券を行なうトータリゼータ端末であって、
公営競技の投票者によって所持される赤外線通信機能付き携帯端末との間で赤外線通信を行なうための赤外線通信機能をそなえ、
該携帯端末から前記赤外線通信により配信要求を受けると、その配信要求に応じた公営競技情報であって該携帯端末で取扱可能な形式の携帯端末配信用データに加工されたものを、前記赤外線通信により該携帯端末へ配信するように構成されたことを特徴とする、トータリゼータ端末。
【０１１２】
（付記２４）  公営競技のオッズ情報を含む各種公営競技情報を管理・保持する情報配信サーバと通信可能に接続され、
前記配信要求に応じて該情報配信サーバから取得された前記公営競技情報を、前記携帯端末配信用データに加工するための加工制御部をそなえたことを特徴とする、付記２３記載のトータリゼータ端末。
【０１１３】
（付記２５）  投票券の自動発券を行なうトータリゼータ端末であって、
公営競技のオッズ情報を含む各種公営競技情報を管理・保持する情報配信サーバと通信可能に接続され、
携帯端末へ配信すべく該情報配信サーバから取得された公営競技情報を、該携帯端末で取扱可能な形式の携帯端末配信用データに加工するための加工制御部をそなえたことを特徴とする、トータリゼータ端末。
【図面の簡単な説明】
【０１１４】
【図１】本発明の第１構成例としての公営競技情報配信システム及び赤外線通信装置の構成を示すブロック図である。
【図２】本発明の第１構成例としての公営競技情報配信システムを示す模式図である。
【図３】本発明の第２構成例としての公営競技情報配信システムを示す模式図である。
【図４】本発明の第３構成例としての公営競技情報配信システム，赤外線通信装置及びオッズプリンタの構成を示すブロック図である。
【図５】本発明の第４構成例としての公営競技情報配信システム及びオッズプリンタの構成を示すブロック図である。
【図６】本発明の第４構成例としての公営競技情報配信システムを示す模式図である。
【図７】本発明の第５構成例としての公営競技情報配信システムを示す模式図である。
【図８】本発明の第６構成例としての公営競技情報配信システム，赤外線通信装置及びトータリゼータ端末の構成を示すブロック図である。
【図９】本発明の第７構成例としての公営競技情報配信システム及びトータリゼータ端末の構成を示すブロック図である。
【図１０】本発明の第７構成例としての公営競技情報配信システムを示す模式図である。
【図１１】本発明の第８構成例としての公営競技情報配信システム及び赤外線通信装置の構成を示すブロック図である。
【図１２】本発明の第８構成例としての公営競技情報配信システムを示す模式図である。
【図１３】本発明の公営競技情報配信システムに係る第１通信動作の手順を示すフローチャートである。
【図１４】本発明の公営競技情報配信システムに係る第２通信動作の手順を示すフローチャートである。
【図１５】本発明の公営競技情報配信システムに係る第３通信動作の手順を示すフローチャートである。
【図１６】本発明の公営競技情報配信システムに係る第３通信動作の変形例の手順を示すフローチャートである。
【図１７】本発明の公営競技情報配信システムに係る第４通信動作の手順を示すフローチャートである。
【図１８】本発明の公営競技情報配信システムに係る第４通信動作の変形例の手順を示すフローチャートである。
【図１９】本発明の公営競技情報配信システムに係る第５通信動作の手順を示すフローチャートである。
【図２０】本発明の一実施形態としての公営競技情報配信システムにおいて携帯端末が要項情報を取得するまでの動作手順を示すフローチャートである。
【図２１】本発明の一実施形態としての公営競技情報配信システムにおいて携帯端末が投票者所望の公営競技情報を取得する手順を示すフローチャートである。
【図２２】本発明の一実施形態としての公営競技情報配信システムにおけるオッズ情報取得時の携帯端末の表示画面の表示例を示す模式図である。
【図２３】本発明の一実施形態としての公営競技情報配信システムが接続されている公営競技における一般的なシステムの全体構成を示すブロック図である。
【図２４】本発明の一実施形態としての公営競技情報配信システムにおける投票方法の手順を示すフローチャートである。
【符号の説明】
【０１１５】
１  通信ネットワーク
１０  携帯端末
２０  情報配信サーバ
３０，３０ａ，３０ｂ  赤外線通信装置（親機）
３１  制御部
３２  ハードディスク
３３−１，３３−２，３３−ｎ  赤外線アダプタ
３４  子機
４０  加工制御部
５０，５０ａ，５０ｂ  オッズプリンタ
６０，６０ａ，６０ｂ  トータリゼータ端末
７０  上位サーバ
８０  投票系サーバ
【図１】
2005227823.tif 000003
【図２】
2005227823.tif 000004
【図３】
2005227823.tif 000005
【図４】
2005227823.tif 000006
【図５】
2005227823.tif 000007
【図６】
2005227823.tif 000008
【図７】
2005227823.tif 000009
【図８】
2005227823.tif 000010
【図９】
2005227823.tif 000011
【図１０】
2005227823.tif 000012
【図１１】
2005227823.tif 000013
【図１２】
2005227823.tif 000014
【図１３】
2005227823.tif 000015
【図１４】
2005227823.tif 000016
【図１５】
2005227823.tif 000017
【図１６】
2005227823.tif 000018
【図１７】
2005227823.tif 000019
【図１８】
2005227823.tif 000020
【図１９】
2005227823.tif 000021
【図２０】
2005227823.tif 000022
【図２１】
2005227823.tif 000023
【図２２】
2005227823.tif 000024
【図２３】
2005227823.tif 000025
【図２４】
2005227823.tif 000026